(57)【要約】      （修正有）【課題】電子カードがその挿抜時に導入部が接触しにくいように保護される、カードコネクタを提供する。【解決手段】電子カードが挿入されるカードコネクタ１００は、絶縁性本体１と、前記絶縁性本体に挿入される複数の導電端子２と、前記絶縁性本体に付着される第１ハウジング２と、排出機構とを備える。排出機構は、前後に沿って移動可能なスライダー６１と、前記絶縁性本体とスライダーとの間に装着されるバネ部材６３と、ポール６２とを含む。前記第１ハウジングには、第１ハウジングの後端から上向きに延在して、スライダーの後方向の移動を制限する阻止壁が設けられる。前記スライダーには、電子カードと阻止壁との間に配置され、電子カードを導入するための導入部６１６が設けられる。挿抜している電子カードは、前記導入部によって前記阻止壁に接触しない。【選択図】図２
0003147848.tif 000002
【実用新案登録請求の範囲】
【請求項１】
電子カードが挿入されるカードコネクタであって、
絶縁性本体と、
前記絶縁性本体に挿入される複数の導電端子と、
前記絶縁性本体に付着される第１ハウジングと、
前後に沿って移動可能なスライダーと、前記絶縁性本体とスライダーとの間に装着されるバネ部材と、ポールとを含む排出機構と、
を備え、前記第１ハウジングには、第１ハウジングの後端から上向きに延在して、スライダーの後方向の移動を制限する阻止壁が設けられ、前記スライダーには、電子カードと阻止壁との間に配置され、電子カードを導入するための導入部が設けられ、挿抜している電子カードが前記導入部によって前記阻止壁を接触しないことを特徴とするカードコネクタ。
【請求項２】
前記スライダーにはスライド溝が形成され、前記阻止壁には定位孔が形成され、前記ポールの一端がスライド溝にスライドし、他端が定位孔に位置決めされることを特徴とする請求項１に記載のカードコネクタ。
【請求項３】
前記スライダーには、電子カードを保持する保持壁が設けられ、前記導入部が保持壁から上向きに延在することを特徴とする請求項１に記載のカードコネクタ。
【請求項４】
前記保持壁には、前記電子カードと係合する係合部片が設けられ、前記スライダーには前後方向と直交する方向に沿って延在して電子カードの前方向の移動を制限する阻止部が設けられることを特徴とする請求項３に記載のカードコネクタ。
【請求項５】
前記第１ハウジングには、上向きに突出する突出部が設けられ、前記排出機構のスライダーには、前記突出部と係合する凹溝が形成され、前記スライダーは突出部と凹溝との係合によって前後に移動することを特徴とする請求項１に記載のカードコネクタ。
【請求項６】
前記カードコネクタが複数の検出端子を具備し、前記絶縁性本体は基部と、前記検出端子を収納するための収納溝が形成されるビーム部とを備えることを特徴とする請求項１に記載のカードコネクタ。
【考案の詳細な説明】
【技術分野】
【０００１】
本考案は、コンピュータ、デジタルカメラ等各種電子機器に使用された電子カードが挿入されたカードコネクタに関するものである。
【背景技術】
【０００２】
従来技術のカードコネクタとして、特許文献１に開示されたカードコネクタが知られ、このカードコネクタは、絶縁性本体と、前記絶縁性本体に挿入される複数の導電端子と、排出機構と、前記絶縁性本体に被覆する第１、第２ハウジングとを備える。前記排出機構は、前後に沿って移動可能なスライダーと、スライダーと絶縁性本体の間に装着されるバネ部材と、ポールとを含む。第１ハウジングには、スライダーの後方向の移動を制限する阻止壁が設けられる。阻止壁には、阻止壁と一体に製造されて電子カードを導入ための金属な導入部が設けられる。
【特許文献１】中国実用新案第１９２９２０７Ｙ号明細書
【考案の開示】
【考案が解決しようとする課題】
【０００３】
特許文献１に示す電子カードが挿抜している過程で、電子カードは導入部を接触し易い。電子カードは、前記金属な導入部に接触することによって、破損し易い。
【０００４】
そこで本考案は、上述の従来技術の問題に鑑み、電子カードが保護されるカードコネクタを提供することを目的とする。
【課題を解決するための手段】
【０００５】
本考案の電子カードが挿入されるカードコネクタは、絶縁性本体と、前記絶縁性本体に挿入される複数の導電端子と、前記絶縁性本体に付着される第１ハウジングと、排出機構とを備える。排出機構は、前後に沿って移動可能なスライダーと、前記絶縁性本体とスライダーとの間に装着されるバネ部材と、ポールとを含む。前記第１ハウジングには、第１ハウジングの後端から上向きに延在して、スライダーの後方向の移動を制限する阻止壁が設けられる。前記スライダーには、電子カードと阻止壁との間に配置され、電子カードを導入ための導入部が設けられる。挿抜している電子カードが前記導入部によって前記阻止壁を接触しない。
【考案の効果】
【０００６】
従来の技術に比較して本考案は以下の効果を有する。挿抜している電子カードが前記導入部によって前記阻止壁を接触しない。これにより、電子カードは、阻止壁を接触しなくて、破損しにくい。
【考案を実施するための最良の形態】
【０００７】
以下、この考案の実施の形態を添付の図を参照して説明する。
【０００８】
図１及び図４を参照すると、電子カード２００が挿入されるカードコネクタ１００は、絶縁性本体１と、絶縁性本体１に挿入される複数の導電端子２と、複数の検出端子５と、排出機構６と、絶縁性本体１に被覆する第１、第２ハウジング３，４とを備える。
【０００９】
図１〜図６に示すように、絶縁性本体１は、基部１０と、基部１０の一側から前向きに延在して底壁１６を含むビーム部１１とを有する。前記基部１０とビーム部１１とはＬ字状に構成される。基部１０には、前後に沿って延在する複数の端子溝１４が形成される。基部１０の上表面と下表面には、それぞれ複数の固定溝１７と定位溝１２とが形成される。基部１０の前記一側と対向する他側には、後向きに延在する突出柱１３が設けられる。ビーム部１１には、前後に沿って延在する収納溝１５が形成される。
【００１０】
図４及び図５に示すように、導電端子２は、接触部２１と、尾部２３と、前記接触部２１と尾部２３の間に配置される固持部２２とを含む。
【００１１】
検出端子５は、構造が略同一である第１、第２検出端子５１，５２と、第３検出端子５３とを具備する。
【００１２】
排出機構６は、上表面に形成されるスライド溝６１２と下表面に形成される収容溝６１７とを含むスライダー６１と、前記スライダー６１のスライド溝６１２に移動可能に装着されるポール６２と、前記収容溝６１７に収容されるバネ体６３とを有する。スライダー６１には、一側からビーム部１１に向かって折曲される阻止部６１５が設けられる。スライダー６１の底部には、電子カード２００を保持ため、係合部片６１４が設けられる保持壁６１３が配置される。スライダー６１の下表面には前記収容溝６１７と平行する凹溝６１１が形成される。保持壁６１１には上向きに延在する導入部６１６が設けられる。
【００１３】
第１ハウジング３は、第１基板３１と、第１基板３１から上向きに延在する一対の第１側壁３２と、第１基板３１の後端から折曲される阻止壁３３と、第１基板３１から突出する細長い突出部３４と、第１基板３１の前端から上向きに突出する複数の第１定位片３５とを備える。前記阻止壁３３には定位孔３３５が形成される。
【００１４】
第２ハウジング４は、第２基板４１と第２基板４１から下向きに延在する第２側壁４２とを有する。第２基板４１の前端には下向きに突出する複数の第２定位片４５が設けられる。
【００１５】
図１〜図６に示すように、カードコネクタ１００を取り付ける時、先ず、第１ハウジング３が絶縁性本体１の下に装着される。絶縁性本体１には、前記基部１０とビーム部１１と第１ハウジング３によって包囲される収納スペース１８が形成される。複数の導電端子２が基部１０の端子溝１４に挿入される。導電端子２の接触部２１が収納スペース１８に収納される。次に、第１、第２、第３検出端子５１，５２，５３が絶縁性本体１の収納溝１５に収納される。排出機構６が第１ハウジング３の上に実装される。第１ハウジング３の突出部３４がスライダー６１の凹溝６１１に嵌合される。スライダー６１が、凹溝６１１と突出部３４との係合によって、第１ハウジング３に前後に沿って移動できる。阻止壁３３によってスライダー６１の後方向の移動が制限される。排出機構６のバネ体６３が絶縁性本体１の突出柱１３と排出機構６のスライダー６１の間に装着される。ポール６１の一端がスライダー６１のスライド溝６１２に移動可能に装着され、他端が第１ハウジング３の定位孔３３５に固定され、。最後、第２ハウジング４が絶縁性本体１に被覆する。第２ハウジング４の第２定位片４５が絶縁性本体１の固定溝１７に嵌合される。第１ハウジング３の第１側壁３２の上辺が、第２ハウジング４の第２側壁４２の下辺と対応して接触する。第１、第２ハウジング３，４の第１、第２側壁３２，４２は、四つの半田点でレーザー溶解されることによって半田接続される。
【００１６】
電子カード２００が導入部６１６の導入によって保持壁６１３に沿って収納スペース１８に挿入される。電子カード２００が、前記導入部６１６によって、阻止壁３３と接触しなくて、阻止壁３３に破損されない。挿入された電子カード２００が阻止部６１５を当接する。電子カード２００が更に前向きに押圧される時、阻止部６１５が推されることに伴ってバネ体６３が縮める。同時に、電子カード２００が導電端子２の接触部２１と接触する。排出機構６の係合部片６１４が電子カード２００に形成される凹所２０１と係合する。
【００１７】
挿抜している電子カード２００が前記導入部６１６によって前記阻止壁３３を接触しない。これにより、電子カード３３は、阻止壁３３を接触しなくて、破損しにくい。
【００１８】
以上、本考案について、最良の実施の形態を参照して詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１９】
【図１】本考案の電子カードとカードコネクタの斜視図である。
【図２】図１に示すカードコネクタの部分に分解斜視図である。
【図３】図２に示すカードコネクタの標号部分の広大図である。
【図４】図１に示すカードコネクタの分解斜視図である。
【図５】図１に示すカードコネクタの別の分解斜視図である。
【図６】図１に示す組み立てられたカードコネクタの斜視図である。
【符号の説明】
【００２０】
１  絶縁性本体
１０  基部
１００  カードコネクタ
１１  ビーム部
１２  定位溝
１３  突出柱
１４  端子溝
１５  収納溝
１６  底壁
１７  固定溝
１８  収納スペース
２  導電端子
２００  電子カード
２０１  凹所
２１  接触部
２２  固持部
２３  尾部
３  第１ハウジング
３１  第１基板
３２  第１側壁
３３  阻止壁
３３５  定位孔
３４  突出部
３５  第１定位片
４  第２ハウジング
４１  第２基板
４２  第２側壁
４５  第２定位片
５  検出端子
５１  第１検出端子
５２  第２検出端子
５３  第３検出端子
６  排出機構
６１  スライダー
６１１  凹溝
６１２  スライド溝
６１３  保持壁
６１４  係合部片
６１５  阻止部
６１６  導入部
６１７  収容溝
６２  ポール
６３  バネ部材
【図１】
0003147848.tif 000003
【図２】
0003147848.tif 000004
【図３】
0003147848.tif 000005
【図４】
0003147848.tif 000006
【図５】
0003147848.tif 000007
【図６】
0003147848.tif 000008